(57)【要約】      （修正有）【課題】背骨に当ることを避けて簡単で適当な弾性を持って背中へ押圧でき、クッション等に常設して何処へも移動して使用できる背中用押圧具を提供する。【解決手段】矩形板１の上面２の長さ方向の両端部に、上方向へ付勢する弾性体３を有し、それにより上向きに湾曲付勢される可撓性板４の長さ方向の両端近傍に、背中を押圧する固形突出部５を有し、中央部の間隔部分６にて矩形板１に固着して成る背当て用押圧具であり、補助物取付帯体８にて移動できる使用時補助物に常設させて用いる。【選択図】図１
2007111475.tif 000002
【特許請求の範囲】
【請求項１】
片手で握持できる大きさの矩形板（１）の一面を上面（２）として、該上面（２）の長さ方向の両端部には更に上方向へ付勢させる弾性体（３）を有し、該両弾性体（３）により上向きに湾曲付勢される可撓性板（４）が、その長さ方向の両端近傍に、背中の被押圧部へ当接するための固形突出部（５）を有し、かつ、中央部の間隔部分（６）において上記矩形板（１）に固着して成ることを特徴とし、加えて上記矩形板（１）の裏面には使用時補助物（７）を着脱自在に取り付けるようにした補助物取付帯体（８）を有して成る背当て用押圧具。
【請求項２】
弾性体（３）を、市販の洗濯挟とした請求項１記載の背当て用押圧具。
【請求項３】
弾性体（３）を、金属製板バネ又はスプリングバネとした請求項１記載の背当て用押圧具。
【請求項４】
弾性体（３）を、合成ゴム製とした請求項１記載の背当て用押圧具。
【請求項５】
可撓性板（４）の材質を、湾曲させた鋼板製として弾性体（３）を不要とした請求項１に記載の背当て用押圧具。
【請求項６】
可撓性板（４）の材質を、人工皮革とした請求項１乃至請求項４のいずれかに記載の背当て用押圧具。
【請求項７】
可撓性板（４）の材質を、可撓性合成樹脂とした請求項１乃至請求項４のいずれかに記載の背当て用押圧具。
【請求項８】
可撓性板（４）の材質を、紙と布との貼合せ物とした請求項１乃至請求項４のいずれかに記載の背当て用押圧具。
【請求項９】
固形突出部（５）を、半円棒状体として可撓性板（４）の短辺に対して平行でほぼ等間隔に複数設けた請求項１乃至請求項８のいずれかに記載の背当て用押圧具。
【請求項１０】
固形突出部（５）を、半円棒状体として可撓性板（４）の長辺に対して平行でほぼ等間隔に複数設けた請求項１乃至請求項８のいずれかに記載の背当て用押圧具。
【請求項１１】
固形突出部（５）を、半球状体として互いに等間隔に可撓性板（４）に複数を配設した請求項１乃至請求項８のいずれかに記載の背当て用押圧具。
【請求項１２】
少なくとも矩形板（１）と固形突出部（５）の材質を、木製とした請求項１乃至請求項１１のいずれかに記載の背当て用押圧具。
【請求項１３】
少なくとも矩形板（１）と固形突出部（５）の材質を、硬質合成樹脂製とした請求項１乃至請求項１１のいずれかに記載の背当て用押圧具。
【請求項１４】
使用時補助物（７）を背当て用クッションとし、補助物取付帯体（８）を帯状バンドとした請求項１乃至請求項１３のいずれかに記載の背当て用押圧具。
【発明の詳細な説明】
【技術分野】
【０００１】  この発明は，背中専用の指圧やマッサージができる押圧具の改良に関するものである。特に、背当て用クッション等に常設させておいて、これを適所に移動させ、常に背中にほどよく当接するように圧接や摩擦ができるようにした背当て用押圧具である。
【背景技術】
【０００２】  従来の背中専用の指圧やマッサージ具には大小様々なものがある。例えば電動椅子型のような大掛かりなものから、手動のベルト式・棒状式・球体の連結したもの等々がある。
その内でハンディー式のものでは、片手で握って背中へ回して用いる物、何処かに置いて被押圧部を押し付けて用いるものがある。【０００３】  その多くは、突起等を有した用具を床上等に置いて、その上に身体を仰臥させて用いるものか、又は、用具として広い板体に多数の突起等を配設したものを、座席の背凭れに取り付けたり立て掛けたりしておいて、そこへ寄り掛かって座り、背中を押し付けて用いるものが見受けられる。【０００４】  例えば、背中だけでなく他にも指圧やマッサージができるもので、身体を載せる身体載台の上面は凹曲面とし、身体載台の下面中央部には球面状凸部を設けたことを特徴とする用具で、背中に用いる場合は球面状凸部を床面に接して置き、凹曲面上に身体を仰臥させて用いる発明の名称「健康具」というものがある。（例えば、特許文献１参照。）。【０００５】  また、方形面に多数の突起を有したゴム板の周辺に、胴体へ回して取り付けるための係止用ベルトを設けて、座席又は椅子に着座した時の背圧で指圧状態を保持するように成した考案の名称「指圧用背当て」というものがある。（例えば、特許文献２参照。）。【０００６】  更に、単に平板上にある突起では、突起の位置が一定していて変化させることができないから身体になじまない欠点があるとし、この欠点を解消するために袋状体を仕切って複数の小袋として、その中に弾性球状体を入れ、かつ、弾性ベルトを設けて身体に取り付けて成る考案の名称「指圧器」というものがある。（例えば、特許文献３参照。）。【０００７】  上記の各先願例は、この発明と同じく背中にも用いられるもので、突起の形状を半球状とした突出部を有したものとし、また、特許文献１以外は身体に取り付けるためのベルト類を設けたものとしている。
【特許文献１】特開２００２−０８５５１６号公報（２頁、図５〜図７）
【特許文献２】実開昭４７−０２７３８５号公報（３頁、第１図〜第３図）
【特許文献３】実開昭５３−００３４９０号公報（１〜２頁、第１図）
【発明の開示】
【発明が解決しようとする課題】
【０００８】  上述の特許文献１は、両手で持って指圧具として用いる外に、背中にも用いられるように、背中を載せる身体載台の上面は多数のツボ突起を有した凹曲面としていて、主に床の上に載置して、その上に仰臥して身体載台の下面中央部にある球面状凸部にて、上下左右に揺動して用いるものとしている。【０００９】  それ故、身体を載せる身体載台はどの方向へも自由に傾けられ、また、ツボ突起はその配置場所により高さを異にして背圧を変えているが、ツボ突起の固着している凹曲面はツボ突起と一体的に固定しているから、揺動させても多数のツボ突起の背中に対する当接圧力にはあまり差が生じないし、座椅子などに座っての使用には不向きである。【００１０】  特許文献２は、背当て本体の表面に多数の突起を一様に有したゴム板を貼着させたもので、その背当て本体に係止用ベルトを設けて身体の胴体又は椅子等に取り付け、座席や椅子に着座した時の背圧で指圧するものである。【００１１】  したがって、確かに仰臥せずとも使用できるが、図面からも分かるように、背当て本体の表面全面に同じ高さの突起をお互いに等間隔に配設したものとしているから、何処の突起も同圧では同じ程度の指圧力となる故、背中に当てた時には背骨へも圧迫することになり好ましくない。【００１２】  特許文献３は、使用者の体型に合わせて移動でき、かつ身体の曲線になじみやすいようにすることを目的として、弾性球状体を入れた複数の小袋で仕切った袋状体を、弾性ベルトにて身体等へ取り付けて使用するようにしたものである。【００１３】  したがって、確かに背中に当接する弾性球状体は、袋状体の小袋内を身体の曲線に合わせて容易に移動するが、弾性球状体自体の直径すなわち背中に当接する弾性球状体の高さは変わらないから、他所の弾性球状体と同じ弾性力で圧迫するし、第一、背圧する所があまり自由に移動するのはかえって圧迫点が定まらず不便である。【００１４】  背中への押圧で大事なことは、背骨への強い圧迫を避けることである。すなわち、背骨を避けた両側のみを押圧したい。
それも、椅子やソファー等に腰掛けた状態で目的の箇所をソフトに押圧できるようにしたい。その上、押圧用具は身体に取り付けるのではなく、腰掛けたい場所に付設したい。しかも、腰掛ける場所の全てに付設することなく、一つの押圧用具だけで何処の座席でも使用できるようにするのがこの発明の主目的の一つでもある。
【課題を解決するための手段】
【００１５】  この発明の背当て用押圧具は、体重を利用して背中の被押圧部に押し付け用いるものであって、主として背当て用クッションのように、単独で容易に移動できるものに常設させて使用するものとした。また、両手でも使用し得て，何処かに置いて被マッサージ部を押し付けて用いてもよいものとした。【００１６】  先ず、この発明の基本構成を、図面に基づいて説明する。図１又は図２に示すように、片手で握持できる大きさの矩形板１の一面を上面２として、その上面２の長さ方向の両端部には更に上方向へ付勢させる弾性体３を有したものとする。
そして、その両弾性体３により上向きに湾曲付勢される可撓性板４が、その長さ方向の両端近傍に、背中の被押圧部へ当接するための固形突出部５を有した上、中央部の間隔部分６にて矩形板１に固着して成ることを特徴としたものである。【００１７】  すなわち、使用時には間隔部分６が背骨の位置になるようにして、背骨を挟んだ左右の部分の背中へ固形突出部５が押圧するよう押し当てるのである。その際に、両弾性体３の反発力にて両側の固形突出部５は適宜な圧力にて背中を押すことになる。
加えて矩形板１の裏面には使用時補助物７を着脱自在に取り付けるようにした補助物取付帯体８を有して成ることを基本構成とする背当て用押圧具とした。【００１８】  具体的には弾性体３を、市販の洗濯挟としたり、金属製の板バネ又はスプリングバネとしたり、合成ゴム製としたものとする。更には、可撓性板４の材質を湾曲させた鋼板製として弾性体３自体を不要としたものとしてもよい。
なお、市販の洗濯挟には様々な形式の物があり、中にはバネ材が一部を切り欠いたリング状としたもので、そのリング状バネの一部が両摘み部１０の外方に露出しているものがある。そこで、この発明の背当て用押圧具自体の高さを低めに抑えたいならば、図３に示すような洗濯挟がよい。すなわち、採用されている蔓巻バネ９の形状が、摘み部１０の外方まで露出していないものを選ぶことである。【００１９】  可撓性板４の材質を、具体的には人工皮革としたり、可撓性のある合成樹脂としたり、紙と布との貼合せ物としたものとする。当然ながら採用する材質によりその厚さは異なるが、その厚さは採用する弾性体３の反発力にも関連するから考慮したい。【００２０】  固形突出部５は、具体的には半円棒状体として図１に示した可撓性板４の短辺に対して平行でほぼ等間隔に複数設けたり、図２に見るような可撓性板４の長辺に対して平行でほぼ等間隔に複数設けたりしたものとする。もっとも、図５に示すような角辺部を丸めた角材に近いものとしたものでもよい。
又は、半円棒状体に換えて図示省略したが、指圧用として慣用な形状である半球状体として互いに等間隔に可撓性板４の両端部に複数を配設したものとする。【００２１】  また、少なくとも矩形板１と固形突出部５の材質を、具体的には肌触りのよい木製としたり、量産的な硬質合成樹脂製としたりと適宜選択すればよい。
勿論、矩形板１と固形突出部５との材質を互いに異質の材質としても構わない。【００２２】  使用時補助物７を、簡単に移動可能な使用例として示した図６のような背当て用クッションとし、補助物取付帯体８を帯状バンドとしたものとする。
ここで言う背当て用クッションとは、４足のソファーや椅子や、足のない座椅子等の背当てのある腰掛類に用いられるものであるが、背当て用クッションでなく、平べったい大きな枕であっても構わず、要は背中に当てるに相応しい大きさと柔らかさを有したものであればその呼称に限定されるものではない。【００２３】  また、補助物取付帯体８は、バンド以外の紐類など長尺物でクッション等の使用時補助物７を一周して締結できれば何でも構わないし、強いて言えば使用時補助物７への取り付け手段には、帯状物によらずとも例えば安全ピンでの取り付けでも可能である。
ただし、使用時補助物７に取り付けた際に、背当て用押圧具を一方向へたやすく移動でき、しかも傾かないようなものとしたい。それには、幅のある平たい帯状物が最も好ましい物であると図示したような帯状バンドを採用した。
【発明の効果】
【００２４】  この発明の背当て用押圧具は、固形突出部５を有した可撓性板４が、予め矩形板１から受け皿状に湾曲しているから、背中に当たる部分が無理なく自然にフィットする。
矩形板１中央部に間隔部分６があって、そこには固形突出部５がないから、背骨に突出部５が当接しないように配慮され、安心して体重を利用して背中に押圧を与えることができるのである。その際、弾性体３の反発力と使用時補助物７のクッション性との合体により、背中と背当て用押圧具がソフトタッチでき、程よい押圧効果が得られるのである。【００２５】  このクッション性がないと、背当て用押圧具に背中を当てた時に沈みがなくハードタッチになり堅い感触となる。加えて、背圧を加減すれば押圧力を自由に求めることができ、その押圧方向も、単に可撓性板４の両短辺部が矩形板１面に対して平行に押し下がるだけでなく、身体を捻りながらの押圧で可撓性板４の対角線方向の押し下げも可能となった。【００２６】  しかも、使用時補助物７は、予め単独で片手に持って容易に他所へ移動できるもの、例えば長椅子等に一般的に多用されている背当て用クッションとするが好ましい。
そして、そこへ常設させておけば、一つだけの背当て用押圧具のみで、あちこちにあるソファーや椅子や座椅子に持って行くだけで、腰掛けてテレビを見ながら、パソコンをしながら、お茶を飲みながらと場所を選ばずに使用することができるようになるのである。【００２７】  勿論、矩形板１から補助物取付帯体８を取り去れば、片手で握持できる大きさの矩形板１としたから、手で持って胸部や腹部から足裏まで手の届くところは何処でも、固形突出部５の先端で押圧して指圧を、擦ってマッサージをすることができるし、何処かに置いて被マッサージ部を押し付けて用いることもできるものとなった。【００２８】  また、固形突出部５の方向が可撓性板４の短辺に対して平行なもの、長辺に対して平行にしたものを備えおけば、すなわち、固形突出部５の配設方向を９０度異なるものであるから、取り替えるだけで指圧感やマッサージ感が異なるようになる。
更にまた、固形突出部５の形状を、従来多用の半球状体として互いに等間隔に可撓性板４に複数配設したものとしたものも同様に異なった指圧感やマッサージ感が得られる。【００２９】  使用時補助物７として、最も一般的な背当て用クッションを採用し、加えて補助物取付帯体８を帯状バンドとして、図４に示すようなスライド用枠１１を矩形板１の裏面の中央両長辺際に設けたものとすれば、帯状バンドをその両スライド用枠１１に通し、図示省略した締結金具にて簡単に背当て用クッションへ取り付けができると共に、図５における上下方向への移動も、片手で容易にスライドさせ得て大層便利なものとなる。
【発明を実施するための最良の形態】
【００３０】  この発明の最良の形態は、固形突出部５と矩形板１の材質を、肌に接して優しい木製とし、可撓性板４は量産品として構造を簡単にするために湾曲させた鋼板を採用して、弾性体３を不要としたものである。
固形突出部５は、前述した形状の何れでもよいので、予めそれぞれを用意しておいて、可撓性板４の間隔部６の中央にある矩形板１との取付ネジ１２にて、それらの着脱交換を自由にできるようにしておけばよい。
したがって、図示省略したが取付ネジ１２を蝶ネジとした方が交換は容易であろう。【００３１】  そして、使用時補助物７として最も一般的で移動容易な背当て用クッションを採用し、かつ、補助物取付帯体８を帯状バンドとして矩形板１の裏側にスライド用枠１１を設けて帯状バンドを長さ方向へ簡単にスライドできるようにスライド用枠１１に通したものとするのが最も好ましいものと言えよう。【００３２】  この発明品の使用法については、説明するまでもないだろうから省略するが、一般的に被押圧部への擦り摩擦は一方向へ繰り返すがよく、摩擦力を大きく擦る時は、擦る方向と固形突出部５の長さ方向とが直交するものを矩形板１に取り付け、逆に摩擦力を小さく擦る時は、擦る方向と固形突出部５の長さ方向とが平行になるものを矩形板１に取り付ければよいことは言うまでもない。
また、固形突出部５が半球状体のものを採用すれば、身体との当りがスポット的で押圧効果としては薄くなるがそれなりの感触が得られる。
【実施例１】
【００３３】  実施例１を図面に基づき説明すると、図１は木製の矩形板１のサイズを、長さを１５０ｍｍ、幅を８０ｍｍ、厚さを１５ｍｍとした。可撓性板４は、厚さ２ｍｍの合成皮革を用いて、その長さを１６０ｍｍ、幅を６０ｍｍとした。
また、可撓性板４の一面上の短辺に対して平行に、固形突出部５である木製の半円棒状体を、短辺とほぼ同じ長さとして配設し、その幅は２０ｍｍ（半径：１０ｍｍ）で、隣との間隔を５ｍｍとして、左右に２本ずつを接着剤にて固着させた。
なお、間隔部６は５０〜６０ｍｍは欲しい。【００３４】  そして、弾性体３には市販の洗濯挟（ピンチ）を採用した。その際、単なる一リング状のバネ材を採用し、両側の摘みの外方までバネ材が露出しているものがあるが、露出部分が邪魔になるから一リング状のバネ材でない例えば図３に示したような、蔓巻バネ９の形状が、摘み部１０の外方に露出しないものを選ぶことである。
若し、弾性体３の反発力を強くしたいなら、その場合は洗濯挟を２個並列して採用すればよいことは言うまでもない。【００３５】  １３は、弾性体３を矩形板１及び可撓性板４に取り付けた上に、取り付け向きの変動を防止するための細い角材であり、１４は可撓性板４を矩形板１に取付ネジ１２にて着脱交換可能のように取り付ける際に用いた間隔調整用の板である。
なお、締結金具のある部分や他方の先端部分を図示省略した補助物取付帯体８を、幅が３８ｍｍの帯状バンドとし、図４に示したスライド用枠１１を矩形板１の裏面の中央両長辺際に設けたものとした。
【実施例２】
【００３６】  実施例２を図２にて示す。これは固形突出部５の配設方向が実施例１とは９０度異なって可撓性板４上に設けた外は全て実施例１と同じとしたものである。
ただし、固形突出部５は可撓性板４上の左右に間隔を設けずに３本ずつとした。
【実施例３】
【００３７】  実施例３として図５にて示す。これは弾性体３である市販の洗濯挟（ピンチ）を片側に２個並列に採用して反発力を強めた例であり、また、前述したバネ材が一部を切り欠いたリング状のものでバネの一部が両摘み部１０の外方に露出しているものでも採用できるようにしたものである。【００３８】  それ故、可撓性板４の位置を矩形板１より高くするため間隔調整用の板１４を厚くし、併せて可撓性板４が下がる押圧時に、洗濯挟の摘み部１０の外側面をスライドする半円状棒体１６を可撓性板４の裏面に取付板１７を介して設けた。
また、固形突出部５を、角辺部を丸めた角材に近いものとした例で示した。その外は実施例１と同じとしたものである。
なお、理解を深めるために、図５においては右側のみを大きな矢印の方向に押圧した状態として弾性体３が閉じられた形にして描いた。
【実施例４】
【００３９】  実施例４として図示を省略したが、固形突出部５を直径２０ｍｍ程度とした半球状体として互いに等間隔に複数を可撓性板４の間隔部分６を間にして、その両側に配設したものとした外は全て実施例１と同じとしたものである。
【実施例５】
【００４０】  実施例５として図示を省略したが、予め湾曲させ厚さを１ｍｍ程度とした鋼板を可撓性板４として、弾性体３を不要とした外は全て実施例１と同じとしたものである。
なお、湾曲鋼板の反発強度の違いによっては長さの異なるものを重ねて用いてもよい。
【実施例６】
【００４１】  実施例６として図示を省略したが、実施例５と同じく鋼板の可撓性板４とした外は全て実施例２と同じとしたものである。
なお、図６に鎖線にて示したように、矩形板１の上辺にでも鋲止めしたミニタオル１５をこの背当て用押圧具上に被せるように垂らしておけば、背中への当りがソフトとなる効果を得ると共に押圧具本体の汚れ防止にもなる。【００４２】  また、いずれも図示を省略したが、実施例１及び実施例２の弾性体３を、洗濯挟でなく慣用的に用いられるスプリングバネや、板バネを用いたり、或は湾曲した可撓性板４と矩形板１との間に配してフィットするように直角三角形状とした弾性のある合成ゴムを用いたりしても構わないことは言うまでもなかろう。
更に、固形突出部５の幅や高さを変えたり、背中へ当る先端部分の形状を変えたり、配設本数を変えたもの等色々なパターンが考えられるが、そのことによってこの発明が限定されるものではない。【００４３】  また、材質として主要部に木材を採用したものとして述べたが、合成樹脂で一体成型した比較的硬質なプラスチック製としてもよいことは言うまでもない。
ただし、プラスチック製だと合成繊維製の下着等の上からマッサージすると静電気を発生させる虞があるから注意したい。
【図面の簡単な説明】
【００４４】
【図１】この発明の実施例の斜視図である。（実施例１）
【図２】この発明の他の実施例の斜視図である。（実施例２）
【図３】この発明の弾性体の一例として用いる市販洗濯挟の断面側面図である。
【図４】この発明の実施例の裏面の斜視図である。（実施例１）
【図５】この発明の弾性体として市販の洗濯挟を並列に用いた実施例で、右方のみを押圧時の状態で示した斜視図である。（実施例３）
【図６】この発明の実施例にての使用時補助物を背当て用クッションとし、補助物取付帯体を帯状バンドとしたもので示した斜視図である。（実施例１ほか）
【符号の説明】
【００４５】  １  矩形板
２  上面
３  弾性体
４  可撓性板
５  固形突出部
６  間隔部分
７  使用時補助物
８  補助物取付帯体
【図１】
2007111475.tif 000003
【図２】
2007111475.tif 000004
【図３】
2007111475.tif 000005
【図４】
2007111475.tif 000006
【図５】
2007111475.tif 000007
【図６】
2007111475.tif 000008